(57)【要約】      （修正有）【課題】表示画面を視認可能な状態において、テーブルとしての作業面の広さを確保したテーブルを提供する。【解決手段】物体を載置可能な上面２０２を有する載置部を有するテーブル本体と、テーブル本体に対して着脱可能な表示ユニット３を備え、載置部の内部には、テーブルの天板の上面２０２と反対の側に表示ユニット３を収納するための表示ユニット着脱部２８を有し、表示ユニット着脱部２８内に表示ユニット３を着脱するための可動式保持部材１１ｂを備えている。【選択図】図１
2014057677.tif 000002
【特許請求の範囲】
【請求項１】
物体を載置可能な上面を有する載置部を有するテーブル本体と、
上記テーブル本体に対して着脱可能な表示ユニットとを備え、
上記載置部の内部には、上記表示ユニットを収納できる収納部が形成されており、
上記収納部は、上記載置部の上面とは反対側が開口しており、
上記収納部に収納された表示ユニットを当該収納部内に保持する可動式保持部材をさらに備えることを特徴とするテーブル。
【請求項２】
上記上面の少なくとも一部は、透光性部材で形成されており、上記収納部に上記表示ユニットが収納された状態において、当該透光性部材を通して上記表示ユニットの表示画面が視認可能であることを特徴とする請求項１に記載のテーブル。
【請求項３】
上記透光性部材は、ガラスであることを特徴とする請求項２に記載のテーブル。
【請求項４】
上記可動式保持部材は、上記収納部に収納された表示ユニットに対して応力を加える弾性体を含むことを特徴とする請求項１から３のいずれか１項に記載のテーブル。
【請求項５】
上記可動式保持部材は、上記表示ユニットを保持する一対のフレームを含み、
上記弾性体は、上記一対のフレーム間の距離を狭める方向の応力を発生させることを特徴とする請求項４に記載のテーブル。
【請求項６】
上記弾性体は、バネであることを特徴とする請求項４または５に記載のテーブル。
【請求項７】
上記可動式保持部材は、上記表示ユニットの端部と当接しつつ回転する回転フレームを含むことを特徴とする請求項１から３のいずれか１項に記載のテーブル。
【請求項８】
上記回転フレームが回転することを制止する回転制止部材を含むことを特徴とする請求項７に記載のテーブル。
【請求項９】
上記可動式保持部材は、上記収納部に収納された表示ユニットに対して可逆的に当接する突出部を含むことを特徴とする請求項１から３のいずれか１項に記載のテーブル。
【請求項１０】
上記収納部は、上記表示ユニットの一方の端部を保持する少なくとも一つのフレームを備え、
上記表示ユニットの他方の端部の側面には、上記突出部に対応する凹部が形成されており、
上記突出部が上記凹部に挿入されることにより上記表示ユニットが保持されることを特徴とする、請求項９に記載のテーブル。
【請求項１１】
上記収納部は、上記表示ユニットの一方の端部を保持する少なくとも一つのフレームを備え、
上記突出部が、上記表示ユニットの底面と接触することにより上記表示ユニットが保持されることを特徴とする、請求項９に記載のテーブル。
【請求項１２】
上記突出部の突出動作を制御する制御装置と、
上記収納部内に配置された上記表示ユニットを検出する検出装置とをさらに備え、
上記制御装置は、上記検出装置が上記表示ユニットを検出したことを契機として上記突出部を突出させることを特徴とする請求項９から１１のいずれか１項に記載のテーブル。
【発明の詳細な説明】
【技術分野】
【０００１】
本発明は、表示装置を備えたテーブル（または机）に関するものである。
【背景技術】
【０００２】
近年では、ＬＣＤ（液晶ディスプレイ：Liquid Crystal Display）、ＰＤＰ（プラズマディスプレイ:Plasma Display Panel）、または有機ＥＬ（Organic LED）などに代表される、薄型のＦＰＤ（フラットパネルディスプレイ：Flat Panel Display）が多くの目的に利用されている。
【０００３】
特許文献１では、薄型平面ディスプレイの表示面を、机の上部表面とほぼ同一平面となるように装備した事務机が開示されている。
【０００４】
特許文献２では、平面型のディスプレイとタブレットとを兼用する表示部が、机上テーブルと兼用された入出力装置が開示されている。
【０００５】
特許文献３では、ボード状の収納体にパソコン本体、液晶ディスプレイ、キーボード、などを収納し、ディスプレイの収納部に開閉可能なカバーを設けて、ディスプレイを起立させることが可能なボード型パソコンが開示されている。
【先行技術文献】
【特許文献】
【０００６】
【特許文献１】特開昭６１−１３５６０５号公報（１９８６年６月２３日公開）
【特許文献２】特開２０００−６６７６８号公報（２０００年３月３日公開）
【特許文献３】特開２００１−５１７５１号公報（２００１年２月２３日公開）
【発明の概要】
【発明が解決しようとする課題】
【０００７】
しかしながら、上記従来の構成では、表示装置を備えたテーブル（または机）を、ユーザがテーブル（または机）として利用するときに、ディスプレイを同時に利用したい場合に、自由度が低く、作業面が狭くなるなどの不便が生じるという問題がある。
【０００８】
具体的には、特許文献１に記載の事務机のユーザは、通常の机を使用する場合と同様に、椅子に座り脚部を机の下に入れた自然な姿勢のまま、表示面を使用することができるが、紙媒体の資料や文具などを同時に利用する場合には、表示面が隠れてしまう問題がある。
【０００９】
また、特許文献２の入出力装置では、ディスプレイ表示の切り替えや画面の保存のときに、ディスプレイ面とは別のスイッチの操作を要求するため、テーブルとして利用するためには配置制限があり、利便性に問題がある。
【００１０】
また、特許文献３のボード型パソコンでは、ディスプレイを利用するときに開口部が大きく開くため、テーブルとして利用できる作業面が狭くなる問題がある。
【００１１】
本発明は、上記の問題点を解決するためになされたもので、その目的は、表示画面を視認可能な状態において、テーブルとしての作業面の広さを確保することができる、表示装置を備えたテーブル（または机）を提供することである。
【課題を解決するための手段】
【００１２】
上記の課題を解決するために、本発明の一態様に係るテーブルは、物体を載置可能な上面を有する載置部を有するテーブル本体と、上記テーブル本体に対して着脱可能な表示ユニットとを備え、上記載置部の内部には、上記表示ユニットを収納できる収納部が形成されており、上記収納部は、上記載置部の上面とは反対側が開口しており、上記収納部に収納された表示ユニットを当該収納部内に保持する可動式保持部材をさらに備えることを特徴としている。
【発明の効果】
【００１３】
本発明の一態様によれば、表示ユニットがテーブル本体に対して着脱可能であるため、表示画面を視認可能な状態において、テーブルとしての作業面の広さを確保できる。表示ユニットの着脱は、収納部の可動式保持部材を利用して行えるため、表示ユニットを容易に着脱することができる。
【図面の簡単な説明】
【００１４】
【図１】ディスプレイ内蔵型テーブルの実施例１における、（ａ）表示ユニットの収納前、（ｂ）表示ユニットの収納途中、および（ｃ）表示ユニットの収納後、の各動作を説明するための図である。
【図２】本発明の一実施形態に係るディスプレイ内蔵型テーブルテーブルの斜視図であり、テーブル本体から表示ユニットを取り出した状態を示す図である。
【図３】上記ディスプレイ内蔵型テーブルの要部構成を示すブロック図である。
【図４】ディスプレイ内蔵型テーブルのある実施例２における、（ａ）表示ユニットの収納前、（ｂ）表示ユニットの収納途中、および（ｃ）表示ユニットの収納後、の各動作を説明するための図であり、（ｄ）、（ｅ）、（ｆ）はそれぞれ（ａ）、（ｂ）、（ｃ）の一部分を拡大して示した図である。
【図５】ディスプレイ内蔵型テーブルのある実施例３における、（ａ）表示ユニットの収納前、（ｂ）表示ユニットの収納途中、および（ｃ）表示ユニットの収納後、の各動作を説明するための図であり、（ｄ）は留め具が自動で突出する変形例における表示ユニットの収納途中を説明するための図である。
【図６】ディスプレイ内蔵型テーブルのある実施例４における、（ａ）表示ユニットの収納途中、および（ｂ）表示ユニットの収納後、の各動作を説明するための図である。
【発明を実施するための形態】
【００１５】
本発明に係るテーブルの実施の一形態について図１〜６に基づいて説明すれば、以下のとおりである。ここでは、本発明の実施形態の一例として、ディスプレイ内蔵型テーブル１について説明する。なお、本発明の「テーブル」とは、物体を載置することが可能な台を意味し、机および作業台も「テーブル」の概念に含まれる。
【００１６】
〔ディスプレイ内蔵型テーブル１〕
図１の（ａ）〜（ｃ）は、ディスプレイ内蔵型テーブル１が備える表示ユニット着脱部２８に対して表示ユニット３を収納する動作を示す図である。図２は、ディスプレイ内蔵型テーブル１において、テーブル本体であるテーブル２から表示ユニット３を取り出した状態を示す斜視図である。
【００１７】
図１および図２に示すように、ディスプレイ内蔵型テーブル１は、テーブル（テーブル本体）２と、テーブル２に対して着脱可能な表示ユニット３とを備えている。
【００１８】
表示ユニット３は、タッチパネル操作を受け付ける入力・表示部である。図２に示す例では、テーブル２は、表示ユニット３を４つ収納することが可能であるが、テーブル２が備える表示ユニット３の個数は、特に限定されず、１つでも、４以外の複数でもよい。
【００１９】
テーブル２は、物体を載置可能な上面（載置部）２０２を有する天板（載置部）２ａおよび天板２ａを支える脚部２ｂを備えている。
【００２０】
図１に示すように、天板２ａの内部には、表示ユニット３を保持するための表示ユニット着脱部（収納部）２８が形成されている。この表示ユニット着脱部２８は、テーブル２の天板２ａの上面２０２とは反対の側（裏側）が開口しており、この開口部を通して表示ユニット３を着脱することができる。また、表示ユニット着脱部２８の内部には、当該内部に収納された表示ユニット３を保持する可動式保持部材としてのフレーム１１ａ・１１ｂが設けられている。この可動式保持部材については後述する。
【００２１】
天板２ａの一部は、透光性の部材であるトップガラス（透過性部材）２０１によって形成されており、表示ユニット着脱部２８の上面の少なくとも一部はトップガラス２０１によって形成されている。そのため、表示ユニット３の表示画面を上にして表示ユニット着脱部２８に装填すると、トップガラス２０１を通して上記表示画面をユーザが視認することが可能である。すなわち、表示ユニット着脱部２８は、表示ユニット３の表示画面を視認可能な状態で収納可能である。
【００２２】
トップガラス２０１は、透光性の部材であればよく、同様の機能を有する部材を、ガラス以外の透光性材質を用いて形成してもよい。
【００２３】
また、ディスプレイ内蔵型テーブル１では、表示ユニット着脱部２８から取り出した表示ユニット３をテーブル２の天板２ａ上に立てかけて保持できるように、天板２ａの上面２０２に凹部が形成されている（図２には示されていない）。
【００２４】
表示ユニットが凹部に挿入されていないときには、当該凹部は上面部材２０５によって塞がれており、テーブル２の上面２０２は平らな状態を保っている。
【００２５】
テーブル２と表示ユニット３とは、それぞれ無線通信装置を備え、双方向の情報通信を行うことができる。そのため、表示ユニット３がテーブル２から取り出された状態においても、表示ユニット３は、その表示画面に表示する画像を示す画像データ（映像データ）をテーブル２から受信することができる。
【００２６】
次に、ディスプレイ内蔵型テーブル１を構成するテーブル２および表示ユニット３の要部について記載する。
【００２７】
〔ディスプレイ内蔵型テーブル１の構成〕
（テーブル２）
図３は、ディスプレイ内蔵型テーブル１の要部構成を示すブロック図である。図３に示すように、テーブル２は、受信部（通信装置）２１、送信部（通信装置）２２、記憶部２３、スピーカ２４、主制御部（制御装置）２５、電源部２６、表示ユニット検出部２７、および表示ユニット着脱部（収納部）２８を備えている。さらに主制御部２５には、表示ユニット制御部２５１が含まれている。
【００２８】
受信部２１は、表示ユニット３のタッチパネル３５に対するユーザの入力操作の位置を示すタッチパネル操作情報を表示ユニット３の送信部３１から受信し、表示ユニット制御部２５１に通知する。
【００２９】
送信部２２は、表示ユニット３の表示部３５１において表示する画像（静止画または動画）を示すデータ信号および表示部３５１を制御するための制御信号（例えば、クロック信号）を表示ユニット制御部２５１から取得し、これらの信号を表示ユニット３の受信部３２へ送信する。
【００３０】
なお、テーブル２と表示ユニット３とは、通信可能に接続されていればよく、その通信方法は無線通信に限定されず、有線通信であってもよい。
【００３１】
記憶部２３は、各種の設定情報、および表示ユニット３の表示部３５１において表示される画像データ等を記憶する不揮発性の記憶装置である。
【００３２】
スピーカ２４は、画像データに付随する音声を主制御部２５から取得して出力する音声出力装置である。
【００３３】
主制御部２５は、テーブル２が備える各部の機能を制御するものであり、表示ユニット制御部２５１を備えている。
【００３４】
表示ユニット制御部２５１は、上記タッチパネル操作情報が示す入力操作に基づいて、当該入力操作に対応する画像を示す画像データを記憶部２３から取得する。そして、表示ユニット制御部２５１は、当該画像を表示部３５１に表示するためのデータ信号および制御信号を生成し、送信部２２を介して表示ユニット３へ送信する。
【００３５】
なお、表示ユニット制御部２５１は、インターネット等の通信回線を介して、上記データ信号および制御信号を外部の装置（例えば、動画配信サーバ）から取得してもよい。また、放送を受信するためのチューナをテーブル２に設け、当該チューナで受信したデータ信号および制御信号を表示ユニット３へ送信してもよい。
【００３６】
電源部２６は、テーブル２に対して電力を供給するとともに、表示ユニット着脱部２８を介して表示ユニット３に電力を供給する。
【００３７】
表示ユニット着脱部２８は、表示ユニット３のテーブル接続部３６と電気的に接続可能な接続端子を備えており、テーブル２は、この接続端子を介して、表示ユニット３へ電力を供給することができる。
【００３８】
表示ユニット検出部２７は、表示ユニット着脱部２８に表示ユニット３が装着された場合に、その旨を示す表示ユニット装着情報を主制御部２５に通知する。主制御部２５は、表示ユニット３が表示ユニット着脱部２８に装着されている場合に、表示ユニット３へ送信する情報を、送信部２２ではなく、表示ユニット着脱部２８の接続端子を介して表示ユニット３へ送信してもよい。表示ユニット３から情報を受信する場合も同様である。
【００３９】
なお、図１および２において示した例では、本発明のテーブル２の天板２ａは、床に対して平行な形状であり、このような天板２ａの内部に表示ユニット３を保持する構成である。しかし、テーブル２における外形上の特徴（脚の数および形状、あるいは天板２ａの形状および大きさ）は、図１に示した例に限定されない。また、テーブル２の材質についても特に限定されず、木材、金属、樹脂など、テーブル２に適した材質を適宜組み合わせて（または単独で）用いればよい。
【００４０】
（表示ユニット３）
図３に示すように、表示ユニット３は、送信部（通信装置）３１、受信部（通信装置）３２、タッチパネル制御部３３、記憶部３４、タッチパネル３５、テーブル接続部３６、充電部３７を備えている。さらにタッチパネル３５は、表示部３５１と操作入力部３５２とを備えている。
【００４１】
表示ユニット３は無線通信装置としての受信部３２を備え、テーブル２に装着されている状態においても、テーブル２から取り出された状態においても、テーブル２から上記データ信号および制御信号を取得でき、当該データ信号が示す画像を表示部３５１に表示することができる。
【００４２】
受信部３２は、テーブル２の送信部２２から送信された上記データ信号および制御信号を受信し、タッチパネル制御部３３へ送る。
【００４３】
タッチパネル制御部３３は、取得した制御信号を用いて、上記データ信号が示す画像をタッチパネル３５の表示部３５１に表示する。
【００４４】
タッチパネル３５は、ユーザによるタッチパネル操作を受け付けるユーザインターフェースであり、表示部３５１および操作入力部３５２を備えている。
【００４５】
表示部３５１は、例えばＬＣＤ（液晶ディスプレイ：Liquid Crystal Display）、ＰＤＰ（プラズマディスプレイ:Plasma Display Panel）、または有機ＥＬ（Organic LED）などの、薄型フラットパネルディスプレイ（Flat Panel Display）が好ましい。
【００４６】
操作入力部３５２は、非接触でのタッチ操作入力も受け付けることが可能なものであり、例えば静電容量方式の入力パネルである。静電容量方式のタッチパネルでは、透明導電膜がコーティングされた入力パネルにおける、指の接触（または近接）による静電容量の変化により入力位置を検出する。上記入力パネルとしての操作入力部３５２は、表示部３５１の表示画面の前面に配置される。
【００４７】
また、タッチパネル３５を光センサ液晶として実現してもよい。この場合、光センサ液晶が備える複数の光センサが操作入力部３５２として機能する。
【００４８】
なお、表示ユニット３がテーブル２から取り外されたときに天板２ａに開口部が形成されないようにするために、テーブル２の天板２ａには図１に示すようにトップガラス２０１が設けられている。従って、タッチパネル３５に対して、ユーザは直接触れて操作することができないため、タッチパネル３５としては、非接触での操作入力も受け付けるタッチパネルであることが望ましい。
【００４９】
しかし、タッチパネル３５に直接触れて操作することを前提とするならば、タッチパネル３５として、抵抗膜方式、超音波表面弾性波方式、赤外線走査方式など、その他の方式のタッチパネルを用いてもよい。
【００５０】
操作入力部３５２に対する入力操作の位置を示すタッチパネル操作情報は、タッチパネル制御部３３へ送信される。
【００５１】
タッチパネル制御部３３は、操作入力部３５２からタッチパネル操作情報を取得し、送信部３１へ送る。
【００５２】
無線通信装置としての送信部３１は、上記タッチパネル操作情報をタッチパネル制御部３３から取得し、テーブル２の受信部２１へ送信する。
【００５３】
記憶部３４は、各種の設定情報、および表示部３５１において表示される画像データ等を記憶する不揮発性の記憶装置である。
【００５４】
テーブル接続部３６（接続部）は、表示ユニット着脱部２８に表示ユニット３が装着されるときに表示ユニット着脱部２８の接続端子と接続される、表示ユニット３の側のインターフェースである。テーブル２と表示ユニット３とは、上記接続端子およびテーブル接続部３６を介して、電力供給、および各種情報の入出力を行うことができる。
【００５５】
テーブル接続部３６を介して表示ユニット３がテーブル２と連結しているとき、表示ユニット３はテーブル２から電力供給を受ける。供給された電力は、表示ユニット３における画像の表示、操作入力、情報の送受信、記憶など、電力によって実現される機能を有する装置に対して供給される。また、テーブル２から供給された電力の一部は、充電部３７に蓄積される。表示ユニット３がテーブル２に装着されていないときには、充電部３７の電力が、表示ユニット３の各装置に対して供給される。
【００５６】
（変更例）
図３に示す例では、上記データ信号および制御信号は、テーブル２から表示ユニット３へ送信される構成となっているが、表示ユニット３が自ら上記データ信号および制御信号を生成または取得する構成としてもよい。
【００５７】
すなわち、表示ユニット３の記憶部３４に画像データが格納されており、表示ユニット３は、当該画像データを用いて表示部３５１に画像を表示してもよい。または、表示ユニット３は、インターネット等の通信回線を介して、上記データ信号および制御信号を外部の装置から取得してもよい。また、放送を受信するためのチューナを表示ユニット３に設け、当該チューナで受信したデータ信号および制御信号を用いて表示部３５１に画像を表示してもよい。
【００５８】
この構成では、表示ユニット３は、テーブル２とは独立した端末装置として機能することができる。この構成においても、電力については、テーブル２から供給可能であることが好ましい。表示ユニット３は充電部（バッテリー）３７を備えているが、蓄電容量には限りがあるため、長時間使用することを考慮すれば、テーブル２から電力の供給を受けることが好ましい。
【００５９】
次に、着脱式の表示ユニット３をトップガラス２０１の下部の表示ユニット着脱部２８に収納して利用するために、表示ユニット３を表示ユニット着脱部２８に収納するときの収納動作について説明する。なお、以下に説明される動作の逆を行うことで、容易に表示ユニット３をテーブル２から取り外すことができる。
【００６０】
〔表示ユニット３の収納機構〕
図１、図４〜図６は、表示ユニット３の取り付け動作を説明するために、テーブル２の天板２ａを図２に示したＡＢ軸に平行な面で切断した断面を矢印方向に見たときの、表示ユニット着脱部２８の状態を説明するための断面図である。なお、図１、図４〜図６では、図を簡単にするために、天板２ａに１つの表示ユニット着脱部２８が形成されている場合の断面が示されている。
【００６１】
前述のように、表示ユニット着脱部２８は、テーブル２の天板２ａの上面２０２とは反対の側（裏側）の開口部として形成されている。この表示ユニット着脱部２８に表示ユニット３を容易に収納するための機構の例としての実施例１〜３について以下で説明する。
【００６２】
（実施例１）
図１は、ディスプレイ内蔵型テーブル１の実施例１における、（ａ）表示ユニット３の収納前、（ｂ）表示ユニット３の収納途中、および（ｃ）表示ユニット３の収納後、の各動作を説明するための図である。本実施例では、後述するフレーム１１ｂおよび弾性体１２が、可動式保持部材として機能する。
【００６３】
図１の（ａ）に示すように、テーブル２の天板２ａの上面２０２にはトップガラス２０１があり、その下の開口部が表示ユニット着脱部２８となっている。
【００６４】
表示ユニット着脱部２８は、表示ユニット３を保持する一対のフレーム（図中のフレーム１１ａ、１１ｂ）を備えている。これらのフレームのうち、フレーム１１ａは表示ユニット着脱部２８の一方の側面に固定されている。
【００６５】
一方、フレーム１１ｂは、表示ユニット着脱部２８の他方の側面に固定された弾性体１２と接続されている。このため、フレーム１１ｂに対して圧力が加わった場合に、弾性体１２は、フレーム１１ａとフレーム１１ｂとの間の距離を狭める方向の応力を発生させることができる。
【００６６】
この仕組みにより、フレーム１１ａとフレーム１１ｂとの間に表示ユニット３が配置されたとき（すなわち、表示ユニット３が表示ユニット着脱部２８に収納されたとき）、弾性体１２により表示ユニット３に対して応力が加えられ、表示ユニット３が表示ユニット着脱部２８の内部に安定的に保持される。
【００６７】
なお、弾性体１２としては、バネ、ゴム、など如何なる原理に基づく応力を発するものでもよい。
【００６８】
フレーム１１ａ、１１ｂは、表示ユニット３の表示画面がトップガラス２０１と平行となるように表示ユニット３を支持することが好ましい。このため、図１の（ａ）〜（ｃ）に示すようにほぼ同じ高さで向かい合う位置に設けられることが望ましい。
【００６９】
表示ユニット着脱部２８に収納された表示ユニット３に対して応力を加えるために、図１の（ａ）に示すように、表示ユニット着脱部２８に表示ユニット３が収納されていないときの、フレーム１１ａとフレーム１１ｂとの間の距離は、表示ユニット３の幅に比べて狭くなっている。
【００７０】
（収納動作）
次に、本実施例における表示ユニット３の収納動作について説明する。
【００７１】
まず、表示ユニット３の一端をフレーム１１ｂに接触させながら、そのまま表示ユニット３を、弾性体１２が縮む方向へ移動させる。このとき、フレーム１１ａとフレーム１１ｂとの間の距離は、図１の（ｂ）に示すように、弾性体１２が縮んだ分だけ広がる。よって、表示ユニット３の他端（フレーム１１ａの側の端）をフレーム１１ａに載せることができるようになる。
【００７２】
そして、表示ユニット３を、フレーム１１ｂとフレーム１１ａとによって支持できる位置まで持ち上げる。そこで、弾性体１２を押し縮めていた力を解消して、弾性体１２由来の応力を開放することによって、フレーム１１ｂが表示ユニット３の方に押し戻される。この応力により、表示ユニット３は、図１の（ｃ）に示すように、フレーム１１ｂとフレーム１１ａとの間において安定的に保持され、表示ユニット３が表示ユニット着脱部２８内で移動してしまうことを防止できる。
【００７３】
また、フレーム１１ａにも弾性体１２を接続して、フレーム１１ａとフレーム１１ｂの双方を可動式保持部材とし、互いの距離を狭める方向の応力を受けるようにしてもよい。後述する他の実施例におけるフレーム１１ａについても、本実施例と同様に、可動式としてもよい。
【００７４】
なお、表示ユニット３の着脱のとき、弾性体１２を押し縮める動作を、表示ユニット３本体を用いるのではなく、例えば専用のレバーなどを用いて行ってもよい。このレバーは、例えば、天板２ａの側面または裏面に設けられていればよい。
【００７５】
本実施例によれば、表示ユニット着脱部２８において表示ユニットを簡単な動作で収納することができる。また、該表示ユニットを表示ユニット着脱部２８から取り出すことも容易である。
【００７６】
（実施例２）
図４は、ディスプレイ内蔵型テーブル１の実施例２における、（ａ）表示ユニットの収納前、（ｂ）表示ユニットの収納途中、および（ｃ）表示ユニットの収納後、の各動作を説明するための図であり、（ｄ）、（ｅ）、および（ｆ）はそれぞれ（ａ）、（ｂ）、および（ｃ）の一部分を拡大して示した図である。
【００７７】
本実施例では、表示ユニット着脱部２８の内部または近傍に回転フレーム１３ａ、回転フレーム１３ｂ、スライド板１４ａおよびスライド板１４ｂが設けられており、これらの部材が可動式保持部材として機能する。
【００７８】
図４の（ｄ）〜（ｆ）において示すように、回転フレーム１３ａおよび回転フレーム１３ｂは、回転軸Ｐから互いに直角となる方向に伸びる２つの腕（支持台）１３１ａ・１３２ａ・１３１ｂ・１３２ｂを有しており、これらの腕１３１ａ・１３２ａ・１３１ｂ・１３２ｂによって表示ユニット３を支持する。
【００７９】
これら回転フレーム１３ａおよび１３ｂは、それぞれ１つの回転軸Ｐを有しており、表示ユニット着脱部２８の互いに対向する側面のそれぞれに回転可能に配されている。表示ユニット３を着脱するとき、回転フレーム１３ａおよび１３ｂは、表示ユニット３の端部と当接しつつ回転する。
【００８０】
スライド板１４ａ・１４ｂは、天板２ａの裏側に配されている可動式の板状部材であり、表示ユニット着脱部２８の開口部の縁から延出して回転フレーム１３ａ・１３ｂと接触することにより、これら回転フレーム１３ａ・１３ｂが回転することを制止する回転制止部材として機能する。
【００８１】
（収納動作）
ここでは回転フレーム１３ａ・１３ｂが可逆的に９０°回転する例を示す。
【００８２】
まず、図４の（ａ）に示すように、表示ユニット３をほぼ水平にして回転フレーム１３ａと１３ｂとに接触させる。図４の（ｄ）では、回転フレーム１３ｂと表示ユニット３との接触部分を拡大して示している。表示ユニット３は上面側において回転フレーム１３ｂの一方の腕１３１ｂに接触している。
【００８３】
この時、スライド板１４ａ・１４ｂは、回転フレーム１３ａと１３ｂとが回転できるように、表示ユニット着脱部２８の開口部側に突出させていない。
【００８４】
表示ユニット３をそのままトップガラス２０１に近づく方向へ移動させると、回転フレーム１３ｂの一方の腕１３１ｂが表示ユニット３によって押され、回転フレーム１３ｂが４５°回転したとき、図４の（ｂ）に示すような状態となる。回転フレーム１３ａについても同様の状態となる。
【００８５】
図４の（ｂ）に示した状態を図４の（ｅ）において拡大して示す。図４の（ｄ）に示すように、回転フレーム１３ｂの腕１３１ｂと腕１３２ｂとによって形成される角部の内側には、表示ユニット３の端部と当接する当接面１３３が形成されている。回転フレーム１３ｂが４５°回転した状態では、この当接面１３３と表示ユニット３の側面とが当接する。回転フレーム１３ａについても同様の構成になっている。
【００８６】
この構成により、回転フレーム１３ｂが回転している間、表示ユニット３の側面の少なくとも一部は当接面１３３と当接することになり、回転フレーム１３ｂに対する表示ユニット３の位置を安定的に維持することが可能となる。
【００８７】
回転フレーム１３ｂが４５°よりも大きく回転すると、図４の（ａ）に示す状態では表示ユニット３と接触していない腕１３２ｂと表示ユニット３とが接点を有する。
【００８８】
さらに表示ユニット３をトップガラス２０１に近づく方向へ移動させると、図４の（ｆ）に示すように、回転フレーム１３ｂの腕１３２ｂは水平な状態になり、表示ユニット３は下面側において腕１３２ｂと接触する。この状態が、表示ユニット３が収納位置に配置された状態である。
【００８９】
最後に、スライド板１４ａ・１４ｂを表示ユニット着脱部２８の開口部に向けてスライドさせ、このスライド板１４ａ・１４ｂによって回転フレーム１３ａ・１３ｂの底部を支える。スライド板１４ａ・１４ｂが回転フレーム１３ａ・１３ｂの回転を制止するため、表示ユニット３が表示ユニット着脱部２８に保持される。
【００９０】
なお、図４の（ａ）から図４の（ｃ）までの動作を自動的に行うようにしてもよい。この場合には、例えば、表示ユニット３の上面が回転フレーム１３ａ・１３ｂの両方に接触したことを契機として、回転フレーム１３ａと１３ｂとを自動的に同じ回転速度で回転させ、９０°回転したときに、回転フレーム１３ａ・１３ｂの回転を止める位置までスライド板１４ａ・１４ｂを移動させればよい。
【００９１】
本実施例によれば、表示ユニット３に過度な力をかけることを避けながら、水平に保った状態で容易に表示ユニット３を着脱することができる。
【００９２】
（実施例３）
図５は、ディスプレイ内蔵型テーブル１の実施例３における、（ａ）表示ユニット３の収納前、（ｂ）表示ユニット３の収納途中、および（ｃ）表示ユニット３の収納後、の各動作を説明するための図である。
【００９３】
本実施例では、表示ユニット３の一方の端部を、表示ユニット着脱部２８の内側側面に設けられたフレーム１１ａによって支持し、他方の端部を留め具（可動式保持部材、突出部）１５によって支持する。留め具１５は、表示ユニット着脱部２８に収納された表示ユニット３に対して可逆的に当接する端部を有する部材である。
【００９４】
図５の（ａ）に示すように、表示ユニット着脱部２８の一方の側面には貫通孔が形成されており、その貫通孔に留め具１５が差し込まれている。留め具１５は貫通孔の長さよりも長く、留め具１５を貫通孔に完全に挿入した状態において、その端部である突出部１５ａが表示ユニット着脱部２８の内部に突出する。
【００９５】
これに対して、表示ユニット３の一方の端部はフレーム１１ａによって保持され、表示ユニット３の他方の端部の側面には、突出部１５ａが差し込まれる凹部３８が形成されている。または、凹部３８を備える着脱可能なアダプタを表示ユニット３に取り付けるようにしてもよい。この構成により、凹部３８が形成されていない表示ユニット３であっても表示ユニット着脱部２８に収納することができる。
【００９６】
（収納動作）
図５の（ｂ）に示すように、ユーザは留め具１５の一端を外側へ引き出すことによって、表示ユニット着脱部２８内における突出部１５ａの突出量を小さくすることができる。
【００９７】
そして、図５の（ｃ）に示すように、表示ユニット３のフレーム１１ａと対向する一方の端部と反対側にある他方の端部を持ち上げ、凹部３８に突出部１５ａを挿入する。これによって、表示ユニット３は、表示ユニット着脱部２８内に、フレーム１１ａと留め具１５の突出部１５ａとによって安定に保持される。
【００９８】
表示ユニット３を収納するための留め具１５の数は、単数でも複数でもよいが、表示ユニット３の収納をより簡単に行うために、１つであることが好ましい。また、留め具１５が有する突出部１５ａの数は複数であってもよい。
【００９９】
表示ユニット３をトップガラス２０１に平行な状態で収納するためには、細い棒状の突出部１５ａを用いるのではなく、トップガラス２０１と平行な面を有する板状の突出部１５ａを用いることが望ましい。
【０１００】
あるいは、上記のように留め具１５をユーザが手動で押すのではなく、自動で突出部１５ａを突出させるようにしてもよい。
【０１０１】
図５の（ｄ）は突出部１５ａを自動で突出させる変形例における表示ユニットの収納途中を説明するための図である。図５の（ｄ）に示すように、表示ユニット３の凹部３８の底部には、赤外線発光素子３８Ｅが設けられている。この赤外線発光素子３８Ｅは、表示ユニット３の上面と平行に赤外線を出射する。
【０１０２】
一方、表示ユニット３の凹部３８に挿入される突出部１５ａの先端部分には、赤外線受光センサ１５Ｒが設けられている。
【０１０３】
これら赤外線発光素子３８Ｅおよび赤外線受光センサ１５Ｒは、表示ユニット着脱部２８内に配置された表示ユニット３を検出する検出装置として機能する。
【０１０４】
この赤外線受光センサ１５Ｒを備えた突出部１５ａは、赤外線受光センサ１５Ｒから赤外線を感知した信号を取得すると、速やかに表示ユニット着脱部２８の方に突出するように制御されている。この制御は、突出部１５ａを移動させる駆動装置（不図示）を主制御部２５が制御することにより実現すればよい。すなわち、主制御部２５は、上記検出装置が表示ユニット３を検出したことを契機として突出部１５ａを突出させる。
【０１０５】
この構成により、表示ユニット３が、表示ユニット着脱部２８内の想定される収納位置に配置されたことを契機として突出部１５ａを突出させることができ、突出部１５ａを凹部３８に挿入する動作を自動で行うことができる。そのため、容易に表示ユニット３を収納することができる。
【０１０６】
なお、赤外線発光素子３８Ｅを突出部１５ａに設け、赤外線受光センサ１５Ｒを表示ユニット３の凹部３８に設けてもよい。また、表示ユニット３が、表示ユニット着脱部２８内部の想定される収納位置に配置されたことを検出することができれば、当該検出を行う検出装置の種類および配置は、どのようなものであってもよい。
【０１０７】
また、この変形例において、表示ユニット３を取り出すために、表示ユニット着脱部２８の方への突出部１５ａの突出を解除するための構成は、特に限定されない。例えば、突出部１５ａを後退させるための操作ボタンを設けてもよい。
【０１０８】
本実施例によれば、表示ユニット着脱部２８内に収納された表示ユニット３を確実に保持することができ、また、留め具１５を後退させるだけの操作で容易に表示ユニット３を取り出すことが可能である。
【０１０９】
（実施例４）
図６は、ディスプレイ内蔵型テーブル１の実施例４における、（ａ）表示ユニット３の収納途中、および（ｂ）表示ユニット３の収納後、の各動作を説明するための図である。
【０１１０】
図６の（ａ）に示すように、テーブル２の天板２ａの上面２０２にはトップガラス２０１があり、その下部にある開口部が表示ユニット着脱部２８となっている。
【０１１１】
表示ユニット着脱部２８の一方の側面には保持部材であるフレーム１１ａが固定されており、表示ユニット着脱部２８の他方の側面と隣接する裏面にはスライド板（可動式保持部材、突出部）１４が設けられている。スライド板１４は、天板２ａの裏面から表示ユニット着脱部２８の開口部へ向けて延出（移動）し、表示ユニット着脱部２８の内部に配置された表示ユニット３の底面と接触することにより表示ユニット３を下方向から保持する。
【０１１２】
（収納動作）
まず、図６の（ａ）に示すように、表示ユニット３の一方の端部をフレーム１１ａに接触させた後、表示ユニット３の他方の端部を、表示ユニット３が水平になる位置まで持ち上げる。
【０１１３】
次に、図６の（ｂ）に示すように、スライド板１４を表示ユニット着脱部２８の開口部へ向けて移動させることで、表示ユニット３の底面（接触部）と接触させる。これによって、表示ユニット３は、表示ユニット着脱部２８内において、フレーム１１ａとスライド板１４とによって安定に保持される。
【０１１４】
スライド板１４は、ユーザが手動でスライドさせてもよいし、表示ユニット３が完全に表示ユニット着脱部２８に収納されたことが感知されたことを契機として自動的にスライドするようにしてもよい。
【０１１５】
例えば、表示ユニット３の側面に赤外線発光素子を設けて、この赤外線発光素子から発射される赤外線を受光する赤外線受光センサを表示ユニット着脱部２８内の好適な場所に設ける。赤外線受光センサが表示ユニット３からの赤外線を受光したとき、スライド板１４を表示ユニット着脱部２８の開口部へ向けて移動するように制御すればよい。この制御は、スライド板１４を移動させる駆動装置（不図示）を主制御部２５が制御することにより実現すればよい。すなわち、主制御部２５は、上記赤外線発光素子および赤外線受光センサを含む検出装置によって、表示ユニット着脱部２８内の想定される収納位置に配置された表示ユニット３が検出されたことを契機としてスライド板１４をスライドさせる。
【０１１６】
これにより、赤外線発光素子から発射された赤外線を赤外線受光センサが受光したことを契機として自動的にスライド板１４が移動し、表示ユニット３は容易に保持される。
【０１１７】
なお、表示ユニット３を保持するために必要なスライド板１４は１つでも、複数であってもよい。スライド板１４が１つの場合、表示ユニット３をより安定に保持するために、スライド板１４は、表示ユニット３を支持するために十分な広さとすることが望ましい。
【０１１８】
本実施例によれば、最も単純な構造によって容易に表示ユニット３の着脱が可能となる。
【０１１９】
〔まとめ〕
本発明に係るテーブル（ディスプレイ内蔵型テーブル１）は、物体を載置可能な上面を有する載置部（天板２a、トップガラス２０１、上面２０２）を有するテーブル本体（テーブル２）と、上記テーブル本体に対して着脱可能な表示ユニット（表示ユニット３）とを備え、上記載置部の内部には、上記表示ユニットを収納できる収納部（表示ユニット着脱部２８）が形成されており、上記収納部は、上記載置部の上面とは反対側が開口しており、上記収納部に収納された表示ユニットを当該収納部内に保持する可動式保持部材（フレーム１１ｂ、弾性体１２、回転フレーム１３a・１３ｂ、スライド板１４・１４a・１４ｂ、留め具１５、突出部１５a）をさらに備えることを特徴としている。
【０１２０】
上記の構成によれば、表示ユニットがテーブル本体に対して着脱可能であるため、表示画面を視認可能な状態において、テーブルとしての作業面の広さを確保できる。表示ユニットの着脱は、収納部の可動式保持部材を利用して行えるため、表示ユニットを容易に着脱することができる。
【０１２１】
また、上記テーブル本体が有する載置部の上面の少なくとも一部は、透光性部材（トップガラス２０１）で形成されており、上記収納部に上記表示ユニットが収納された状態において、当該透光性部材を通して上記表示ユニットの上記表示画面が視認可能であることが好ましい。
【０１２２】
さらに、上記透光性部材は、ガラス（トップガラス２０１）であることが好ましい。
【０１２３】
上記の構成によれば、載置部の内部に表示ユニットを収納した状態で、ユーザは自然な姿勢のまま当該表示ユニットの表示画面を見ることができる。
【０１２４】
また、上記可動式保持部材は、上記収納部に収納された表示ユニットに対して応力を加える弾性体（弾性体１２）をさらに含むことが好ましい。
【０１２５】
さらに、上記弾性体は、バネであることが好ましい。
【０１２６】
上記の構成によれば、可動式保持部材が弾性体（バネ）の応力によって、収納部に収納された表示ユニットを容易に収納部内に保持することができる。また、弾性体の応力に対して押し返す力を加えることで、表示ユニットを収納部から容易に取り出すことができる。
【０１２７】
また、上記収納部は、上記表示ユニットを保持する一対のフレーム（フレーム１１a・１１ｂ）を備え、上記弾性体は、上記一対のフレーム間の距離を狭める方向の応力を発生させることができるように構成してもよい。
【０１２８】
上記の構成によれば、収納部に収納された表示ユニットを保持する一対のフレームが、上記弾性体の応力を用いて表示ユニットを両側から挟むことになる。それゆえ、表示ユニットを収納部に安定に保持することができる。また上記応力とは逆の方向にフレームを押して弾性体に力を加えることで、収納部から容易に表示ユニットを取り出すことができる。
【０１２９】
また、上記テーブル本体の上記可動式保持部材は、上記表示ユニットの端部と当接しつつ回転する回転フレーム（回転フレーム１３a・１３ｂ）を含むようにしてもよい。
【０１３０】
上記の構成によれば、回転フレームによって表示ユニットを収納部内に円滑に誘導しながら、表示ユニットを保持することができる。また、収納部から円滑に表示ユニットを取り出すことができる。
【０１３１】
また、上記可動式保持部材は、さらに、上記回転フレームが回転することを制止する回転制止部材（スライド板１４a・１４ｂ）を含むことが好ましい。
【０１３２】
上記の構成によれば、回転フレームが表示ユニットの重さによって回転し、収納部から表示ユニットが脱落してしまうことを防止することができる。それゆえ、表示ユニットを収納部内に安定に保持することができる。
【０１３３】
また、上記可動式保持部材は、上記収納部に収納された表示ユニットに対して可逆的に当接する突出部（突出部１５a）を含むようにしてもよい。
【０１３４】
上記の構成によれば、可逆的に突出する突出部が収納部内に突出して、収納部内の表示ユニットと当接し、表示ユニットを保持する。それゆえ、表示ユニットを収納部内において容易に固定させることができる。また、突出部を収納部内から引っ込めることで、表示ユニットと突出部との当接を解消すれば、容易に収納部から当該表示ユニットを取り出すことができる。
【０１３５】
また、上記収納部は、さらに、上記表示ユニットの一方の端部を保持する少なくとも一つのフレーム（フレーム１１ａ）を備え、上記表示ユニットの他方の端部の側面には、上記突出部に対応する凹部（凹部３８）が形成されており、上記突出部が上記凹部に挿入されることにより上記表示ユニットが保持されるようにしてもよい。
【０１３６】
上記の構成によれば、収納部内の表示ユニットは、上記フレームによってその一方の端部を保持されることに加え、当該表示ユニットの側面に形成された凹部に上記突出部が挿入されることで、より安定に保持される。また、突出部を収納部内から引っ込めることで、表示ユニットの側面の凹部から突出部を抜き出せば、容易に収納部から当該表示ユニットを容易に取り出すことができる。
【０１３７】
また、上記収納部は、上記表示ユニットの一方の端部を保持する少なくとも一つのフレーム（フレーム１１a）を備え、上記突出部（スライド板１４）が、上記表示ユニットの底面と接触することにより上記表示ユニットが保持されるようにしてもよい。
【０１３８】
上記の構成によれば、収納部内の表示ユニットは、上記フレームによってその一方の端部を保持されることに加え、突出部が表示ユニットの底面と接触することにより、当該表示ユニットをより安定に保持することができると共に、該表示ユニットを収納部から容易に取り出すこともできる。
【０１３９】
上記テーブルは、上記突出部の突出動作を制御する制御装置と、上記収納部内に配置された上記表示ユニットを検出する検出装置（赤外線受光センサ１５Ｒ、赤外線発光素子３８Ｅ）とをさらに備え、上記制御装置は、上記検出装置が上記表示ユニットを検出したことを契機として上記突出部を突出させるようにしてもよい。
【０１４０】
上記の構成によれば、検出装置は収納部内に表示ユニットが移動したことを検出して、突出部を突出させる。これにより、当該表示ユニットを容易に収納することができると共に、該表示ユニットを収納部から容易に取り出すこともできる。
【０１４１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１４２】
〔ソフトウェアによる実現例〕
最後に、ディスプレイ内蔵型テーブル１の各ブロック、特にテーブル２の表示ユニット制御部２５１を含む主制御部２５、および表示ユニット３のタッチパネル制御部３３は、集積回路（ＩＣチップ）上に形成された論理回路によってハードウェア的に実現してもよいし、ＣＰＵ（Central Processing Unit）を用いてソフトウェア的に実現してもよい。
【０１４３】
後者の場合、ディスプレイ内蔵型テーブル１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるディスプレイ内蔵型テーブル１の制御プログラムのプログラムコード（実行形式プログラム、中間コードプログラム、ソースプログラム）をコンピュータで読み取り可能に記録した記録媒体を、上記ディスプレイ内蔵型テーブル１に供給し、そのコンピュータ（またはＣＰＵやＭＰＵ）が記録媒体に記録されているプログラムコードを読み出し実行することによっても、達成可能である。
【０１４４】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１４５】
また、ディスプレイ内蔵型テーブル１のテーブル２と表示ユニット３とを通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１４６】
本発明は、表示装置を備えたテーブルに利用することができる。
【符号の説明】
【０１４７】
１      ディスプレイ内蔵型テーブル（テーブル）
２      テーブル（テーブル本体）
３      表示ユニット
２ａ    天板（載置部）
１１ａ  フレーム
１１ｂ  フレーム（可動式保持部材）
１２    弾性体（可動式保持部材、バネ）
１３ａ  回転フレーム（可動式保持部材）
１３ｂ  回転フレーム（可動式保持部材）
１４    スライド板（可動式保持部材）
１４ａ  スライド板（回転制止部材、可動式保持部材）
１４ｂ  スライド板（回転制止部材、可動式保持部材）
１５    留め具（可動式保持部材）
１５ａ  突出部（可動式保持部材）
１５Ｒ  赤外線受光センサ（検出装置）
２５    主制御部（制御装置）
２８    表示ユニット着脱部（収納部）
３８    凹部
３８Ｅ  赤外線発光素子（検出装置）
２０１  トップガラス（透光性部材、載置部、ガラス）
２０２  上面（載置部）
２０５  上面部材
【図１】
2014057677.tif 000003
【図２】
2014057677.tif 000004
【図３】
2014057677.tif 000005
【図４】
2014057677.tif 000006
【図５】
2014057677.tif 000007
【図６】
2014057677.tif 000008